(57)【要約】【課題】  フライス盤の使用の下で連続鋳造によって金属ストリップを製造する装置を改良すること。【解決手段】  この発明は、スラブ（３）が鋳造される鋳造機械（２）を使用する連続鋳造により金属ストリップを製造する装置に関する。スラブ（３）の搬送方向（Ｆ）において鋳造機械（２）の後に少なくとも一つのフライス盤（４）が配置されていて、そのフライス盤にはスラブ（３）の少なくとも一つの表面が特に二つの対向位置している表面が研磨され得る。フライス盤のフライスカッターの耐用年数を最適化するために、この発明はフライス盤（４）にはローラフライスカッターを冷却させる手段（５）が設けられている。さらに、この発明は金属ストリップを製造する方法に関する。
2009536581.tif 000002
【特許請求の範囲】
【請求項１】
スラブ（３）が鋳造される鋳造機械（２）を備えていて、スラブ（３）の搬送方向（Ｆ）において鋳造機械（２）の後に少なくとも一つのフライス盤（４）が配置されていて、そのフライス盤にはスラブ（３）の少なくとも一つの表面が特に二つの対向位置している表面が研磨され得る、連続鋳造により金属ストリップを製造する装置において、フライス盤（４）には、フライスカッター（６）、特にローラフライスカッターを冷却させる手段（５）が設けられていることを特徴とする装置。
【請求項２】
フライスカッター（６）を冷却させる手段（５）がノズル（７）として形成されていて、ノズルにより冷却媒体がフライスカッター（６）の切断面（８）に塗布され得ることを特徴とする請求項１に記載の装置。
【請求項３】
フライスカッター（６）の全幅にわたり冷却させる手段（５）が延びていることを特徴とする請求項２に記載の装置。
【請求項４】
ノズル（７）は、冷却媒体をスラブ（３）から遠く離れた箇所におけるフライスカッター（６）に噴射されるように、配置されていることを特徴とする請求項２或いは３に記載の装置。
【請求項５】
フライスカッター（６）がその内部に冷却媒体用の少なくとも一つの供給孔（９、１０）を有し、これら供給孔が切断面（８）の領域に案内することを特徴とする請求項１乃至３のいずれか一項に記載の装置。
【請求項６】
フライスカッター（６）がその内部に冷却媒体用の複数の供給孔（９、１０）を有し、これら供給孔が切断面（８）の領域に案内することを特徴とする請求項５に記載の装置。
【請求項７】
フライスカッター（６）が同心円供給孔（９）を有し、この供給孔から少なくとも一つの別の供給孔（１０）が切断面（８）の領域に案内することを特徴とする請求項５或いは６に記載の装置。
【請求項８】
フライスカッター（６）に隣接して、冷却媒体用の補集装置（１１）が配置されていることを特徴とする請求項１乃至７のいずれか一項に記載の装置。
【請求項９】
補集装置（１１）が冷却媒体用の収集桶（１２）を有することを特徴とする請求項８に記載の装置。
【請求項１０】
補集装置（１１）がフライスカッター（６）を半側面に覆うカバー（１３）を有することを特徴とする請求項８或いは９に記載の装置。
【請求項１１】
カバー（１３）がフライス回転軸線の方向に見て半円状形成されていることを特徴とする請求項１０に記載の装置。
【請求項１２】
搬送方向（Ｆ）に見てカバー（１３）の前端領域及び後端領域又はそのいずれか一方の領域に収集桶（１２）が存在することを特徴とする請求項１０或いは１１に記載の装置。
【請求項１３】
フライスカッター（６）を冷却させる手段（５）が送風機（１４）として形成されていることを特徴とする請求項１に記載の装置。
【請求項１４】
フライスカッター（６）を冷却させる手段（５）が孔（１５）として形成されていて、孔を通して冷却媒体がフライスカッター（６）の内部を通して案内されていることを特徴とする請求項１に記載の装置。
【請求項１５】
冷却媒体を案内する手段（１６）が閉鎖システム内に存在することを特徴とする請求項１乃至１４のいずれかの一項に記載の装置。
【請求項１６】
冷却媒体が全装備の冷却システムの回路に一体化されて案内されることを特徴とする請求項１５に記載の装置。
【請求項１７】
冷却媒体が水であること特徴とする請求項１乃至１６のいずれかの一項に記載の装置。
【請求項１８】
冷却媒体が油−水−乳濁液であることこと特徴とする請求項１乃至１６のいずれかの一項に記載の装置。
【請求項１９】
冷却媒体が空気であることこと特徴とする請求項１乃至１６のいずれかの一項に記載の装置。
【請求項２０】
冷却媒体が噴霧であること特徴とする請求項１乃至１６のいずれかの一項に記載の装置。
【請求項２１】
冷却媒体が水蒸気であること特徴とする請求項１乃至１６のいずれかの一項に記載の装置。
【請求項２２】
外部からフライスカッター（６）を冷却させる手段並びに内部からフライスカッターを冷却させる手段が設けられること特徴とする請求項１乃至２１のいずれかの一項に記載の装置。
【請求項２３】
搬送方向（Ｆ）にてフライス盤の直前にスラブ厚にわたり温度分布を調整させる手段（１７）が配置されていることを特徴とする請求項１乃至２２のいずれかの一項に記載の装置。
【請求項２４】
スラブ厚にわたり温度分布を調整させる手段（１７）がスラブ（３）に流体を噴射させるノズルであることを特徴とする請求項２３に記載の装置。
【請求項２５】
フライスカッター（６）を冷却させる手段（５、７）がフライス処理前に短くスラブ表面を下冷却させるように設計されていることを特徴とする請求項１乃至２４のいずれかの一項に記載の装置。
【請求項２６】
フライスカッター（６）を冷却させる手段（５）は、冷却媒体の異なった量がスラブ（３）の上面と下面に塗布できることを特徴とする請求項１乃至２５のいずれかの一項に記載の装置。
【請求項２７】
スラブ（３）の上面と下面の加工のために、それぞれに一つのフライスカッター（６）が配置されていることを特徴とする請求項１乃至２６のいずれかの一項に記載の装置。
【請求項２８】
各フライスカッター（６）がスラブ（３）の他面に配向された支持ロール（１８）と共働することを特徴とする請求項２７に記載の装置。
【請求項２９】
フライス盤（４）とロール架台（２３、２４）の間にスケール洗浄機（２９）が配置されていることを特徴とする請求項１乃至２８のいずれかの一項に記載の装置。
【請求項３０】
スケール洗浄機（２９）が一列に形成されていることを特徴とする請求項２９に記載の装置。
【請求項３１】
スラブ（３）が鋳造される鋳造機械（２）を有し、スラブ（３）の搬送方向（Ｆ）において鋳造機械（２）の後に少なくとも一つのフライス盤（４）が配置されていて、そのフライス盤にはスラブ（３）の少なくとも一つの表面が特に二つの対向位置している表面が研磨され得る、請求項１乃至３０のいずれかの一項に記載の装置によって連続鋳造により金属ストリップ（１）を製造する方法において、スラブ（３）が冷却されて、フライス盤（４）の前と後又はそのいずれか一方でスラブ（３）の上面及び下面又はそのいずれか一方の面におけるスラブ温度が測定されて、機械制御にて稼働される処理モデルにより検出された温度に依存して冷却媒体の量が確認されていて、それによりスラブが冷却されることを特徴とする方法。
【請求項３２】
上面と下面でスラブ（３）の冷却が行われることを特徴とする請求項３１に記載の方法。
【請求項３３】
スラブ（３）が鋳造される鋳造機械（２）を有し、スラブ（３）の搬送方向（Ｆ）において鋳造機械（２）の後に少なくとも一つのフライス盤（４）が配置されていて、そのフライス盤にはスラブ（３）の少なくとも一つの表面が特に二つの対向位置している表面が研磨され得る、請求項１乃至３０のいずれかの一項に記載の装置によって連続鋳造により金属ストリップ（１）を製造する方法において、スラブ（３）が冷却されて、スラブ（３）を冷却させる冷却媒体の量が機械制御にて稼働される処理モデルにより確認されていて、この処理モデルがスラブから研磨された切り屑容量に依存して冷却媒体の量を確認することを特徴とする方法。
【請求項３４】
冷却媒体の量が更にスラブ輸送速度を考慮して決定されることを特徴とする請求項３３に記載の方法。
【請求項３５】
冷却媒体の量が更にスラブの表面の温度を考慮して決定されることを特徴とする請求項３３或いは３４に記載の方法。
【請求項３６】
冷却媒体の量が更にスラブの材料の種類を考慮して決定されることを特徴とする請求項３３乃至３５のいずれか一項に記載の方法。
【発明の詳細な説明】
【技術分野】
【０００１】
この発明は、スラブが鋳造される鋳造機械を備えていて、スラブの搬送方向において鋳造機械の後に少なくとも一つのフライス機械が配置されていて、そのフライス盤にはスラブの少なくとも一つの表面が特に二つの対向位置している表面が研磨され得る、連続鋳造により金属ストリップを製造する装置に関する。さらに、この発明は金属ストリップを製造する方法に関する。
【背景技術】
【０００２】
スラブを連続鋳造装備に連続的に鋳造する際には、例えば振動マーク付け、鋳造粉末検出器のような表面検出器が或いは延びている表面亀裂に沿ってや表面亀裂を横切って生じる。これは従来には薄スラブ鋳造機械を生じる。それ故に、仕上がったストリップの使用目的に応じて、従来のスラブが一部を焼成される。多数のスラブが顧客の要望により一般に焼成される。この場合には、薄スラブ装備の表面品質に関する要求が連続的に増加する。
【０００３】
表面加工のために、焼成、研磨或いはフライスカッターが提供される。
【０００４】
焼成は、溶融切断された材料が高い酸素含有量によって再び評価なしに溶融され得れないという欠点を有する。研磨の際に金属破片が研磨円板塵と混合するので、この回収が処理されなければならない。両方法が所定輸送速度に適用できるのが難しい。
【０００５】
それ故に、表面加工がフライスカッターによって提供される。この場合に、熱いフライス屑が収集されて小包にされて評価なしに再び問題なく溶融されて、生産処理に再び添加すべきである。さらに、フライスカッター回転数が容易に輸送速度に（鋳造速度、仕上げ鋳造−流入速度）調整され得る。それ故に、最初に述べた種類のこの発明対象の装置はフライスカッターに合わせられる。
【０００６】
連続鋳造装備の後に配置されているフライス盤を備える最初に述べた種類の装置が知られている。このために、スイス特許第５８４０８５号明細書（特許文献１）やドイツ特許出願公開第１９９５０８８６号明細書（特許文献２）に示されている。
【０００７】
類似な装置がドイツ実用新案第７１１１２２１号明細書（特許文献３）にも開示されている。この書類は、機械が鋳造装備と接続されている鋳造加熱の利用の下でアルミュニウムベルトの加工を示す。
【０００８】
圧延路の前に短く薄スラブ（焼成、フライスカッターなど）の表面から上面と下面或いは片側のインライン除去が既に提案されていて、これについて欧州特許出願公開第１０９３９６６号明細書（特許文献４）に示されている。
【０００９】
表面フライス盤の別の構成をドイツ特許出願公開第１９７１７２００号明細書（特許文献５）が示す。この明細書には、連続鋳造装備の後に或いは圧延路の前に配置されているフライス装置のフライス輪郭の変更性が記載されている。
【００１０】
予備ベルトを加工する従来の加熱ベルト路におけるインラインフライス盤の他の配列とその構成は欧州特許第０７９００９３号明細書（特許文献６）、欧州特許第１２１３０７６号明細書（特許文献７）と欧州特許第１２１３０７７号明細書（特許文献８）に提案されている。
【００１１】
所謂ＣＳＰ装備における薄スラブの表面加工では、検出された表面欠陥に依存する加工ライン（インライン）には、熱いスラブ表面の片側或いは両側のおよそ０．１−３．５ｍｍが取り除かれる。選別取出しを強過ぎなく低下させるために、出来るだけ厚い薄スラブが推奨されている（Ｈ＝６０−１２０ｍｍ）。
【００１２】
表面加工とその表面加工に属する装置は薄スラブに限定されず、、むしろ従来の厚いスラブ鋳造装置の後に、並びにより大きな１２０ｍｍから３００ｍｍまでの厚さにより鋳造されるスラブの場合に、インラインに挿入され得る。
【００１３】
インラインフライス盤は通常に圧延プログラムのすべての製品のために使用されず、むしろより高い表面要件が必要とされない。これは、選別取出し理由から好ましく、フライス盤磨減りを減少させ、それ故に有効である。
【００１４】
フライスカッターの耐用年数ではフライス盤にてスラブ表面が研削される、即ちフライスカッターの使用期間がいつも満足ではないことが明になった。これは、熱いスラブの加工の際に切断材料に耐えなければならない比較的高い材料負荷と関係している。
【特許文献１】スイス特許第５８４０８５号明細書
【特許文献２】ドイツ特許出願公開第１９９５０８８６号明細書
【特許文献３】ドイツ実用新案第７１１１２２１号明細書
【特許文献４】欧州特許出願公開第１０９３９６６号明細書
【特許文献５】ドイツ特許出願公開第１９７１７２００号明細書
【特許文献６】欧州特許第０７９００９３号明細書
【特許文献７】欧州特許第１２１３０７６号明細書
【特許文献８】欧州特許第１２１３０７７号明細書
【発明の開示】
【発明が解決しようとする課題】
【００１５】
この発明の課題は、前記欠点を減少されるようにフライス盤の使用の下で連続鋳造によって金属ストリップを製造する装置を改良することにある。さらに、フライス工具がより長く暗示する使用時間や熱いスラブの加工にも保護されるので、より長い耐用年数が達成可能になる装置が創作されることである。  
【課題を解決するための手段】
【００１６】
この発明によるこの課題の解決策は、フライス盤の傍或いは内には、フライスカッター、特に圧延フライスカッターを冷却させる手段が設けられていることを特徴としている。このために、異なった実施態様が設けられ得る。
【００１７】
フライスカッターを冷却させる手段がノズルとして形成され得るので、それらノズルによって冷却媒体が特に全幅にわたりフライスカッターの切断面の領域に塗布され得る。この場合には、ノズルはノズルが冷却媒体をスラブから遠く離れた箇所におけるフライスカッターでこれらフライスカッターに塗布するように配置されている。それによりスラブの強過ぎる冷却が阻止され得る。冷却媒体が再び補集装置に補集され得る。
【００１８】
フライスカッターは選別的に或いは付加的にその内部に冷却媒体用の少なくとも一つの供給孔を有し得て、その供給孔が切断面の領域へ導く。この場合には、フライスカッターは同心円供給孔を有し、その供給孔から少なくとも一つの別の供給孔が切断面の領域まで案内する。
【００１９】
スラブを冷却媒体によって出来るだけ僅かに冷却させるために、それはしばしば欠点であり、フライスカッターに隣接して冷却媒体の補集装置が配置されている。これは冷却媒体用の収集桶を有し得る。補集装置はフライスカッターを片側で覆うカバーを有し得る。この場合には、このカバーは、フライスカッター回転軸の方向に観察して、半円状に形成され得る。さらに、この再現態様は、搬送方向において観察してカバーの前端領域及び後端領域又はいずれか一方の端領域には収集桶が存在することを企図する。
【００２０】
発明概念の別の選別は、フライスカッターを冷却させる手段が換気扇として或いは送風機として形成されていることを企図する。
【００２１】
液状冷却媒体を利用できるために、けれども、スラブの冷却を阻止するために、この発明の別の選別的或いは付加的構成は、フライスカッターを冷却させる手段が孔として形成されていて、その孔を通して冷却媒体がフライスカッターの内部を通して案内されることを企図する。
【００２２】
好ましくは、液状冷却媒体を案内させる手段が閉鎖されたシステムに存在する。この場合には、特に好ましく、冷却媒体が全装置の冷却システムの回路に一体化されていることが企図されている。
【００２３】
冷却媒体が水、油水溶剤、空気、洗浄霧或いは水蒸気である。
【００２４】
フライス盤の直前の搬送方向において、スラブ厚にわたり温度分布を調整し且つスラブ表面を清掃させる又は温度分布を調整するか或いはスラブ表面を清掃させる手段が配置されている。この場合には、スラブに液体を発生させるノズルが重要である。
【００２５】
少なくともスラブの上面と下面の加工のためにそれぞれ一つのフライスカッターが配置されている。各フライスカッターがスラブの他面に配置された支持ロールと共働し得る。フライス盤の後の搬送方向において、少なくとも一つの圧延路が配置されている。
【００２６】
態様によると、外部からフライスカッターを冷却させる手段が、並びに内部からフライスカッターを冷却させる手段が設けられている。
【００２７】
好ましくは、フライスカッターを冷却させる手段がスラブ表面の下から冷却させるためにフライス処理の直前に設計されていることが企図されている。
【００２８】
フライスカッターを冷却させる手段は、冷却媒体に関する異なった量がスラブの上面と下面に塗布できるように形成されている。
【００２９】
スラブの上面と下面の加工のためにそれぞれ一つのフライスカッターが配置され得た。
【００３０】
フライス盤と圧延架台前の間にスケール洗浄機が配置され得た。この場合には、好ましい解決策は、スケール洗浄機が一列に形成されていることを企図する。
【００３１】
説明された種類の装置による連続鋳造によって金属ストリップを製造する方法は、フライス盤の前及び後又はそのいずれか一方にスラブ温度がスラブの上面及び下面又はいずれか一方の面で測定されて、機械制御で作動した処理モデルにより検出された温度の依存してスラブが冷却される冷却媒体の量が確認され得ることを特徴としている。
【００３２】
この場合には、再現によりスラブの上面と下面への冷却が行われ得る。
【００３３】
この方法の選択的構成は、スラブが冷却されて、スラブを冷却させる冷却媒体量が機械制御で作動される処理モデルにより確認されて、処理モデルが冷却媒体量をスラブから研削された屑容積に依存して確認する。
【００３４】
この場合には、冷却媒体量の決定はさらにスラブ輸送速度を考慮して及びスラブの表面の温度を考慮して及びスラブの材料の種類を考慮して又はそれらのいずれか少なくとも一つを考慮して行われる。
【００３５】
提案された解決策により、フライス工具の熱負荷を十分に減少させることが可能である。さらに、前記使用目的の従来のフライス盤の場合より明らかに高い耐用年数を達成させることが可能である。長い暗示する使用時間でも、フライス工具が熱間圧延でも高いスラブ表面温度から保護されていて、それは前記利点を導く。今までそのような耐用年数が達成できない、なぜならば、単に通常の潤滑溶剤或いは潤滑油がフライスカッターに使用されたからであった。
【発明を実施するための最良の形態】
【００３６】
図面には、この発明の実施例が図示されている。
【実施例】
【００３７】
図１には、連続鋳造によって金属ストリップ１を製造する装置が図示されている。この金属ストリップ１或いは一致するスラブ３が鋳造機２において公知の形式で連続鋳造される。このスラブ３では、特に薄スラブが重要である。鋳造機２の直後にスラブ３が清掃装置１９において清掃される。それに続いて表面測定装置２０による表面検査が行われる。引き続いて、スラブ３が炉２１に到達するので、スラブが所望処理温度に維持され得る。炉にはフェリー２２が接続する。
【００３８】
炉２１或いはフェリー２２の後にスラブ３がフライス盤４に到達する。このフライス盤では、現在、搬送方向Ｆにおいていくらか間隔を置いて、二つのフライスカッター６が配置されていて、このフライスカッターによりスラブ３の下或いは上表面が切断され得る。スラブ３のそれぞれに対向位置する表面、即ちそのスラブの上面或いは下面が支持ロール１８により支持されている。
【００３９】
フライス盤４の後にはスケール除去装置３９が存在し、現在、一列のスケール洗浄機がスラブの上部と下部に存在し、圧延スタンド２３と２４が図示されている圧延路が存在する。
【００４０】
フライス盤４の下には、切断された材料が補集される補集容器２５が存在する。
【００４１】
図２において見られるように、フライス盤４には、フライスカッター６を冷却する手段５が設けられている。ここでは、この手段５が噴射ノズル７として形成されていて、適した冷却媒体（液状或いはガス状）をスラブ３の幅にわたり散布され得る。それにより、直接、或いは間接に図２において非常に概略的示されているフライスカッター６と特にその切断面８の冷却が行われる。
【００４２】
直後にフライスカッター６の切断面８が噴射されるように、噴射ノズル７が配置され得ることが認識できる。しかし、更に見られるように、スラブ３への冷却媒体の噴射が行われるので、フライスカッター６の間接的冷却が行われることが企図されている。図２には、両可能性が図示されている。この場合には、ストリップ表面が直接にフライスカッター６の前で冷却される。
【００４３】
図２において位置２６によって示されているように、支持ロール１８が僅かに通過ラインの下或いは上に配置され得て、押圧を支持ロールに発生させる。
【００４４】
さらに、図２による解決策では、フライスカッター６の直前にはスラブ表面を清掃させる手段１７が配置されることが企図されている。それ故に、フライスカッター６を保護し、その外にはスラブ３を予め清掃してフライスカッターに供給するスラブ冷却が達成されて、そのことがこのフライスカッターを保護する。噴射ノズルとして形成された手段１７では、スラブの上面から下面への調整が行われる。ノズル１７によって噴射される水量の調整がフライス盤４前及び後又はいずれか一方での測定された温度分布に依存して行われる。
【００４５】
図３から、閉鎖システムにおける冷却媒体の案内が行われ得る手段１６が設けれ得ることが明らかになる。この手段１６は冷却媒体を浄化する補集容器２７を有し、好ましくは乳濁液或いは分散液が使用され得る。必要な場合に、冷却媒体（混合比に依存する油或いは水）の新鮮な成分の供給が行われ得て、新鮮な成分には冷却媒体が存在する。
【００４６】
図４は、フライスカッター６の切断面８がフライスカッター６の後部で搬送方向Ｆと反対に行われることを示す。ここでは、ちなみに、後で図６との関係で詳細に記載されるフライスカッター６の冷却が追加的に企図される解決策が示されている。切断冷却はここでは簡単な孔の形態に形成され得る。選択的に、噴射ノズルが出口箇所に設けれ得て、このノズルは冷却媒体の噴流（水噴流）を扇状に広げて、フライスカッター６の切断面８に導かれる。切断水冷却の代わりに、切断潤滑も企図され得る。内部からのフライス切断潤滑（フライスカッター潤滑）と外部からのフライスカッター冷却との組合せも考慮できる。
【００４７】
図５による解決策でも、フライスカッター６の切断面８への（液体による、特に水による）噴射或いは（ガスによる、特に圧縮空気による）吹付けがフライスカッター６の後部で搬送方向Ｆと反対に行われることが企図されている。フライスカッター６の回転方向は矢印によって与えられている。フライスカッター６の前の搬送方向Ｆにおいて、ここでは、昇降可能或いは旋回可能な屑輸送ユニット２８が設けられていて、二重矢印の方向に移動され得る。前領域には、薄板を備える衝突板２９が設けられている。スラブ３の高さには、耐熱性輸送ベルト３０が配置され得て、フライス処理による屑を運び去る。
【００４８】
輸送ベルト３０は冷却媒体を輸送ベルト３０へ噴射するノズル３１により冷却され得る。掻き取り器３２は屑を輸送ベルト３０へ案内する。加熱された媒体による噴射によって、掻き取り器３２とフライスカッター６の間にスラブ３に位置して留まった屑が搬送ベルト上に噴き出されるか、或いは搬送される。
【００４９】
図６ａと図６ｂによる解決策では、フライスカッター６を冷却する手段５が次のように形成されていて：フライスカッター６は両側で一個づつの軸受３３によって支承される。フライスカッター６の軸方向端領域には、回転クラッチ３４が配置されていて、例えば水の形態の冷却媒体によって導管３５を介して矢印方向にフライスカッター６に供給される。フライスカッター６は心合せ供給孔９を備えていて、この供給孔から半径方向に対して或る角度の下で別の供給孔１０が延びていて、切断面８の領域にて、導管３５を介して供給された冷却媒体が切断面８まで到達するように終了している。ここでは、切断冷却する一体化された冷却媒体孔が設けられていて、冷却媒体が高圧の下で且つ低圧の下で使用され得る。それ故に、切断面８における温度応力の減少が可能である。
【００５０】
基本的に、冷却媒体が望まれたようにフライスカッター６を冷却するばかりでなく、時々望まれていないスラブ３も冷却する。これに関して最適化を達成するために、図７による発明の構成は、フライスカッター６を冷却させた冷却媒体を補集装置１１を備えているので、過剰形式にはスラブ３が冷却されない。
【００５１】
補集装置は図７による実施例では、フライスカッター６をおよそ１８０°の範囲にわたりカバーする弓状カバー１３が使用されるように形成されている。冷却媒体がフライスカッター６の冷却後に出来るだけスラブ３に到達するので、フライスカッター６前と後の半径方向において収集桶１２がカバー１３の薄板から形成されていて、このカバーは冷却媒体用の補集容積を形成する。この収集桶１２は冷却媒体の排出用の勾配を備える用水路として形成され得る。この収集桶１２はスラブ３に向いた領域には屑用の衝突板３６を形成し得る。その外には、収集桶１２に到達された望ましからぬ屑がそこからすすぎ落とされ得る。
【００５２】
簡単だが、多くの場合に十分な解決策が図８ａと図８ｂに図示されている。ここでは、薄板から成る簡略化された補集装置１１が設けられていて、薄板は収集桶１２が形成されるように彎曲に形成される。図示された実施例では、冷却する手段５が更に噴流冷却媒体をフライスカッター６の全幅に案内するノズル７として形成されていることが企図されている。ノズル７と冷却媒体噴流の配列或いは整合に依存して、補集装置１１が半径方向においてフライスカッター６の前（図８ａ）或いは後（図８ｂ）に配置され得る。フライスカッター６の回転方向は矢印によって示されている。補集装置１１により補集される冷却媒体は、スラブ３の傍の横に沈み溝に排出できる（縦方向矢印を参照）。
【００５３】
図９から、フライスカッター６が過剰に強く冷却される必要がない場合には、空気による冷却も行われ得ることが明らかである。ここでは、フライスカッター６の上部には送風機１４が配置されていて、その送風機によりフライスカッター６が上から吹付けられて、それにより冷却される。横には、他の実施例においても、ノズル３７が配置されて、軸受３３を冷却させる。
【００５４】
フライスカッター６の冷却の一つの別の選択的実施態様を図１０ａと図１０ｂが示す。ここでは、さらに、スラブ３を過度に冷却媒体により冷却させることが望まれていない状況を考慮されている。それ故に、この解決策では、フライスカッター６の内部には、多数の孔１５が軸方向に延びていて、その孔によって冷却媒体が搬送されて、この形式でフライスカッター６を冷却させる。図６による解決策の場合のように、ここでも、回転クラッチ３４が設けられていて、これを介して冷却媒体が導管３５から孔１５へ搬送される。無論、ここでは、冷却媒体がフライスカッター６の他の軸方向端にて初めて流出し、沈み溝に排出するので、スラブ３が冷却媒体により冷却されない。これら孔１５は、実施例では認識できるように、袋孔として形成されている；冷却媒体の流出が孔１５に斜めに装着する流出孔３８によって行われる。
【００５５】
その点に関して、この発明による理論を次のように要約され得る。
より長い使用時間では、フライスカッター６が熱間圧延では高い熱負荷を受けている。圧延フライスカッター、軸受などが加熱過ぎないように、冷却が好ましい。長い耐久性のあるインライン加工ではフライス工具６を高いスラブ表面温度から保護するために、この発明の構成に基づいてストリップ表面冷却がフライスカッター作用の直前に企図され、それによりフライスカッタ刃における温度流動が減少される。
【００５６】
さらに、圧延フライスカッターが熱い表面から護られる。ＩＦ−鋼或いはＵＬＣ−鋼では、短いフライス過程では変態温度に一致する目標温度が表面に得られる。材料が短時間に柔らかくなり、より低い変形負荷や切断負荷が調整されることが期待されている。
【００５７】
フライス工具６の切断面８は循環の際に潤滑材（油霧、油水混合物など）により噴霧されて、切断力を下げて、それによりフライス工具の使用時間を増加させる。この場合には、無論、先行技術にて知られているように、潤滑材を熱いストリップに塗布されず、むしろ油が付着したままであり、後で切断過程にて作用する切断刃に噴霧される。
【００５８】
硬質スケール層のフライス仕上げ加工を回避させ、フライス切断刃の寿命を高めるために、表面（図２における参照番号１７を参照）の（低圧）スケート除去がフライス装置４の前に考慮される。
【００５９】
冷却梁或いは清掃梁の水量は上下に分離して調整できて、スラブの横隆起部を除去するか、或いは回避させる。
【００６０】
それぞれのフライスカッター６の前と後には、屑吸取り具或いは屑掻き取り器或いは屑洗浄領域（補集漏斗、転向薄板、吸取り管、横散布具、ストリップにおける掻き取り器など）が設けられていて、選択的にフライスカッター６の同速回転や逆回転フライス仕上げ加工を実施できる。  
【００６１】
好ましい形式でフライスカッター６の冷却の際にスラブ３の冷却を回避させるために、内部からの圧延フライスカッター６を冷却させる可能性が生じる。冷却水供給が好ましく横方向に回転クラッチによって行われる；出口が対向位置する側面に形成されるので、水が横方向に自由に沈み溝に排出できる。
【００６２】
フライスカッターの外部冷却では、特にスラブ表面には冷却水がスラブ上に落下する。スラブの望ましからぬ冷却効果を回避するために、水が溝に補集され得る。この場合には、冷却水がフライスカッタ刃に正接に噴射されて、その後に配置された溝に再び補集されるので、冷却水が横方向にストリップの傍に沈み溝に排出できる。
【００６３】
より僅かな熱負荷の際には、空気冷却も考慮できて、外部からの圧延フライスカッター６を冷却させる。この冷却は、水による圧延フライスカッター軸受の冷却と組合せられ得る。
【００６４】
フライスカッター６用の冷却媒体量がフライスカッター切断低下或いは分解された容積に依存して制御される。
【００６５】
若干の特に好ましい実施特徴事項を示唆されている。
図４において見るように、ここでは、同時に乳濁液による切断潤滑は供給孔１０によってフライスカッター６の切断面８にもたらされ、フライスカッター６がノズル７による外部冷却によって冷却される。
【００６６】
さらに、図５により、ノズル７によりスラブ表面から掻き取り器３２を介して輸送ベルト３０への屑輸送が支援されて、同時にスラブ表面とフライスカッター６の冷却が行われることが企図される。
【図面の簡単な説明】
【００６７】
【図１】フライス盤が使用される連続鋳造によって金属ストリップを製造する装置の側面図を概略的に示す。
【図２】フライス盤の表示による図１の拡大断面を示す。
【図３】閉鎖されたシステム内に冷却媒体を案内する装置を備える図２による配列を示す。
【図４】この発明の選択的構成による支持ロールを含めたフライスの側面図を示す。
【図５】この発明の別の選択的構成による支持ロールと屑輸送装置を含めたフライスの側面図を示す。
【図６ａ】この発明の別の構成による冷却されたフライスの切断表示の側面図を示す。
【図６ｂ】この発明の別の構成による冷却されたフライスの切断表示の正面図を示す。
【図７】冷却媒体用の補集装置を備える支持ロールを含めたスラブ表面用のフライスの側面図を示す。
【図８ａ】この発明の図７に対して選択的構成による冷却媒体用の補集装置を備えるフライスの側面図を示す。
【図８ｂ】図８ａに対して別の態様を示す。
【図９】軸受の空気冷却と水冷却を備えるフライスの正面図を示す。
【図１０ａ】この発明の別の構成による冷却されたフライスの切断表示の側面図を示す。
【図１０ｂ】この発明の別の構成による冷却されたフライスの切断表示の正面図を示す。
【符号の説明】
【００６８】
１．．．．．金属ストリップ
２．．．．．鋳造機
３．．．．．スラブ
４．．．．．フライス盤
５．．．．．フライスカッターを冷却させる手段
６．．．．．フライスカッター
７．．．．．ノズル
８．．．．．切断面
９．．．．．供給孔
１０．．．．供給孔
１１．．．．補集装置
１２．．．．収集樋
１３．．．．カバー
１４．．．．換気扇／送風機
１５．．．．孔
１６．．．．閉鎖システムにおける冷却媒体を冷却させる手段
１７．．．．スラブ表面を清掃させてスラブ厚さにわたる温度分布に影響させる手段
１８．．．．支持ロール
１９．．．．清掃装置
２０．．．．表面測定装置
２１．．．．炉
２２．．．．フェリー
２３．．．．圧延スタンド
２４．．．．圧延スタンド
２５．．．．補集容器
２６．．．．位置
２７．．．補集容器
２８．．．．屑輸送ユニット
２９．．．．衝突板
３０．．．．輸送ベルト
３１．．．．ノズル
３２．．．．掻き取り器
３３．．．．軸受
３４．．．．回転クラッチ
３５．．．．導管
３６．．．衝突板
３７．．．．ノズル
３８．．．．流出孔
３９．．．．スケール洗浄機（一列）      
Ｆ．．．．．搬送方向
【図１】
2009536581.tif 000003
【図２】
2009536581.tif 000004
【図３】
2009536581.tif 000005
【図４】
2009536581.tif 000006
【図５】
2009536581.tif 000007
【図６ａ】
2009536581.tif 000008
【図６ｂ】
2009536581.tif 000009
【図７】
2009536581.tif 000010
【図８ａ】
2009536581.tif 000011
【図８ｂ】
2009536581.tif 000012
【図９】
2009536581.tif 000013
【図１０ａ】
2009536581.tif 000014
【図１０ｂ】
2009536581.tif 000015
【手続補正書】
【提出日】平成20年4月26日(2008.4.26)
【手続補正１】
【補正対象書類名】特許請求の範囲
【補正対象項目名】全文
【補正方法】変更
【補正の内容】
【特許請求の範囲】
【請求項１】
スラブ（３）が鋳造される鋳造機械（２）を備えていて、スラブ（３）の搬送方向（Ｆ）において鋳造機械（２）の後に少なくとも一つのフライス盤（４）が配置されていて、そのフライス盤にはスラブ（３）の少なくとも一つの表面が特に二つの対向位置している表面が研磨され得て、フライス盤（４）の傍或いは内には、フライスカッター（６）を冷却させる手段（５）が設けられていて、連続鋳造により金属ストリップを製造する装置において、フライスカッター（６）に隣接して、冷却媒体用の補集装置（１１）が配置されていて、補集装置（１１）がフライスカッター（６）を片側で覆うカバー（１３）を有することを特徴とする装置。
【請求項２】
フライスカッター（６）を冷却させる手段（５）がノズル（７）として形成されていて、ノズルにより冷却媒体がフライスカッター（６）の切断面（８）に塗布され得ることを特徴とする請求項１に記載の装置。
【請求項３】
フライスカッター（６）の全幅にわたり冷却させる手段（５）が延びていることを特徴とする請求項２に記載の装置。
【請求項４】
ノズル（７）は、冷却媒体をスラブ（３）から遠く離れた箇所におけるフライスカッター（６）に噴射されるように、配置されていることを特徴とする請求項２或いは３に記載の装置。
【請求項５】
フライスカッター（６）がその内部に冷却媒体用の少なくとも一つの供給孔（９、１０）を有し、これら供給孔が切断面（８）の領域に案内することを特徴とする請求項１乃至３のいずれか一項に記載の装置。
【請求項６】
フライスカッター（６）がその内部に冷却媒体用の複数の供給孔（９、１０）を有し、これら供給孔が切断面（８）の領域に案内することを特徴とする請求項５に記載の装置。
【請求項７】
フライスカッター（６）が同心円供給孔（９）を有し、この供給孔から少なくとも一つの別の供給孔（１０）が切断面（８）の領域に案内することを特徴とする請求項６に記載の装置。
【請求項８】
補集装置（１１）が冷却媒体用の収集桶（１２）を有することを特徴とする請求項１乃至７のいずれか一項に記載の装置。
【請求項９】
カバー（１３）がフライス回転軸線の方向に見て半円状形成されていることを特徴とする請求項１乃至８のいずれか一項に記載の装置。
【請求項１０】
搬送方向（Ｆ）に見てカバー（１３）の前端領域及び後端領域又はそのいずれか一方の領域に収集桶（１２）が存在することを特徴とする請求項１乃至９のいずれか一項に記載の装置。
【請求項１１】
冷却媒体を案内する手段（１６）が閉鎖システム内に存在することことを特徴とする請求項１乃至１０のいずれか一項に記載の装置。
【請求項１２】
冷却媒体が全装備の冷却システムの回路に一体化されて案内されることを特徴とする請求項１１に記載の装置。
【請求項１３】
冷却媒体が水であること特徴とする請求項１乃至１２のいずれかの一項に記載の装置。
【請求項１４】
冷却媒体が油−水−乳濁液であることこと特徴とする請求項１乃至１２のいずれかの一項に記載の装置。
【請求項１５】
冷却媒体が空気であることこと特徴とする請求項１乃至１２のいずれかの一項に記載の装置。
【請求項１６】
冷却媒体が噴霧であること特徴とする請求項１乃至１２のいずれかの一項に記載の装置。
【請求項１７】
冷却媒体が水蒸気であること特徴とする請求項１乃至１２のいずれかの一項に記載の装置。
【請求項１８】
外部からフライスカッター（６）を冷却させる手段並びに内部からフライスカッターを冷却させる手段が設けられること特徴とする請求項１乃至１７のいずれかの一項に記載の装置。
【請求項１９】
搬送方向（Ｆ）にてフライス盤の直前にスラブ厚にわたり温度分布を調整させる手段（１７）が配置されていることを特徴とする請求項１乃至１８のいずれかの一項に記載の装置。
【請求項２０】
スラブ厚にわたり温度分布を調整させる手段（１７）がスラブ（３）に流体を噴射させるノズルであることを特徴とする請求項１９に記載の装置。
【請求項２１】
フライスカッター（６）を冷却させる手段（５、７）がフライス処理前に短くスラブ表面を下冷却させるように設計されていることを特徴とする請求項１乃至２０のいずれかの一項に記載の装置。
【請求項２２】
フライスカッター（６）を冷却させる手段（５）は、冷却媒体の異なった量がスラブ（３）の上面と下面に塗布できることを特徴とする請求項１乃至２１のいずれかの一項に記載の装置。
【請求項２３】
スラブ（３）の上面と下面の加工のために、それぞれに一つのフライスカッター（６）が配置されていることを特徴とする請求項１乃至２２のいずれかの一項に記載の装置。
【請求項２４】
各フライスカッター（６）がスラブ（３）の他面に配向された支持ロール（１８）と共働することを特徴とする請求項２３に記載の装置。
【請求項２５】
フライス盤（４）とロール架台（２３、２４）の間にスケール洗浄機（２９）が配置されていることを特徴とする請求項１乃至２４のいずれかの一項に記載の装置。
【請求項２６】
スケール洗浄機（２９）が一列に形成されていることを特徴とする請求項２５に記載の装置。
【手続補正２】
【補正対象書類名】明細書
【補正対象項目名】０００１
【補正方法】変更
【補正の内容】
【０００１】
この発明は、スラブが鋳造される鋳造機械を備えていて、スラブの搬送方向において鋳造機械の後に少なくとも一つのフライス盤が配置されていて、そのフライス盤にはスラブの少なくとも一つの表面が特に二つの対向位置している表面が研磨され得て、そしてフライス盤の傍或いは内にフライスカッターを冷却させる手段が設けられていて、連続鋳造により金属ストリップを製造する装置に関する。
【手続補正３】
【補正対象書類名】明細書
【補正対象項目名】０００６
【補正方法】変更
【補正の内容】
【０００６】
最初に述べた種類の装置が欧州特許出願公開第０８８１０１７号明細書（特許文献９）に開示されている。他の解決手段が米国特許出願公開第２００３／２２３８３１号明細書（特許文献１０）、米国特許第５０７３６８４号明細書（特許文献１１）と米国特許第３７０２６２９号明細書（特許文献１１）に記載されている。
連続鋳造装備の後に配置されているフライス盤を備える同様な種類の他の装置がスイス特許第５８４０８５号明細書（特許文献１）やドイツ特許出願公開第１９９５０８８６号明細書（特許文献２）から知られている。
【手続補正４】
【補正対象書類名】明細書
【補正対象項目名】００１４
【補正方法】変更
【補正の内容】
【００１４】
フライスの耐用年数ではフライス盤にてスラブ表面が研削される、即ちフライスの使用期間がいつも満足ではないことが明になった。これは、熱いスラブの加工の際に切断材料に耐えなければならない比較的高い材料負荷と関係している。
【特許文献１】スイス特許第５８４０８５号明細書
【特許文献２】ドイツ特許出願公開第１９９５０８８６号明細書
【特許文献３】ドイツ実用新案第７１１１２２１号明細書
【特許文献４】欧州特許出願公開第１０９３９６６号明細書
【特許文献５】ドイツ特許出願公開第１９７１７２００号明細書
【特許文献６】欧州特許第０７９００９３号明細書
【特許文献７】欧州特許第１２１３０７６号明細書
【特許文献８】欧州特許第１２１３０７７号明細書
【特許文献９】欧州特許出願公開第０８８１０１７号明細書
【特許文献１０】米国特許出願公開第２００３／２２３８３１号明細書
【特許文献１１】米国特許第５０７３６８４号明細書
【特許文献１２】米国特許第３７０２６２９号明細書
【手続補正５】
【補正対象書類名】明細書
【補正対象項目名】００１６
【補正方法】変更
【補正の内容】
【００１６】
この発明によるこの課題の解決策は、フライスカッターに隣接して、冷却媒体用の補集装置が配置されていて、この補集装置がフライスカッターを片側で覆うカバーを有することを特徴としている。このために、異なった実施態様が設けられ得る。
【手続補正６】
【補正対象書類名】明細書
【補正対象項目名】００１９
【補正方法】変更
【補正の内容】
【００１９】
スラブを冷却媒体によって出来るだけ僅かに冷却させるために、それはしばしば欠点であり、フライスカッターに隣接して冷却媒体の補集装置が配置されている。これは冷却媒体用の収集桶を有し得る。補集装置は、上で説明されるように、フライスカッターを片側で覆うカバーを有し得る。この場合には、このカバーは、フライスカッター回転軸の方向にて観察して、半円状に形成され得る。さらに、この再現態様は、搬送方向において観察して、カバーの前端領域及び後端領域又はいずれか一方の端領域には収集桶が存在することを企図する。
【国際調査報告】
2009536581.tif 000016
2009536581.tif 000017
2009536581.tif 000018
2009536581.tif 000019
2009536581.tif 000020
2009536581.tif 000021
2009536581.tif 000022
2009536581.tif 000023